(57)【要約】      （修正有）【課題】遺体と共に火葬可能な四華花を提供する。【解決手段】四華花１０は、造花２０と、紙製の台座３０を備える。造花２０は、台座３０に立てられる。造花２０は、紙製、木製又は竹製で且つ棒状の芯材と、紙製の巻き付け材を含む。巻き付け材には、複数の切り込みが長手方向に所定の間隔で設けられる。切り込みは、短手方向の第一側端から第二側に延びる。巻き付け材は、短手方向の第二側の縁部分が長手方向に繋がった長尺の形状を有する。巻き付け材は、巻き付け材の裏面の縁部分に接着層を含む。巻き付け材は、縁部分で、芯材の第一範囲に、巻き付け材の裏面が芯材の外周面の側となる状態で螺旋状に巻き付けられる。第一範囲は、芯材の先端と、芯材の先端及び後端の間の位置の間となる芯材の軸方向の範囲である。【選択図】図１
2020070521.tif 000002
【特許請求の範囲】
【請求項１】
造花と、
前記造花が立てられる、紙製の台座と、を備え、
前記造花は、
紙製、木製又は竹製で且つ棒状の芯材と、
短手方向の第一側端から第二側に延びる複数の切り込みが長手方向に所定の間隔で設けられ且つ前記短手方向の第二側の縁部分が長手方向に繋がった長尺の形状を有する、紙製の巻き付け材と、を含み、
前記巻き付け材は、
前記巻き付け材の裏面の前記縁部分に接着層を含み、
前記縁部分で、前記芯材の先端と、前記芯材の先端及び後端の間の位置と、の間となる前記芯材の軸方向の第一範囲に、前記巻き付け材の裏面が前記芯材の外周面の側となる状態で螺旋状に巻き付けられる、四華花。
【請求項２】
前記台座は、
前記芯材が差し込まれる第一穴が設けられる第一支持材と、
前記芯材が差し込まれる第二穴が設けられる第二支持材と、を含み、更に、
前記第一支持材を天井壁とし、前記第二支持材を底壁とする、箱形の形状を有し、
前記第一穴は、前記第一支持材の厚さ方向に前記第一支持材を貫通し、
前記第二穴は、前記第一支持材の厚さ方向に一致する前記第二支持材の厚さ方向に前記第二支持材を貫通し、
前記第一支持材及び前記第二支持材は、前記第一範囲より後端側となる前記芯材の軸方向の第二範囲を前記第一穴の内周及び前記第二穴の内周で支持する、請求項１に記載の四華花。
【請求項３】
前記台座は、前記第二支持材を上げ底壁とする、請求項２に記載の四華花。
【請求項４】
前記第一支持材には、前記第一穴と同一方向に前記第一支持材を貫通する開口が設けられる、請求項２又は請求項３に記載の四華花。
【発明の詳細な説明】
【技術分野】
【０００１】
本発明は、四華花に関する。
【背景技術】
【０００２】
四華花に関する技術が提案されている。例えば、特許文献１には、合成樹脂製葬祭用造花立てが開示されている。合成樹脂製葬祭用造花立ては、基台本体の上面部に造花を挿し立てることができる。合成樹脂製葬祭用造花立てでは、基台本体全体が合成樹脂材で形成される。上面部の各角部近傍には、造花を挿し立てるための挿込長孔が垂直に開設される。
【先行技術文献】
【特許文献】
【０００３】
【特許文献１】実開昭５２−１４２５９４号公報
【発明の概要】
【発明が解決しようとする課題】
【０００４】
四華花は、造花を台座に立てた葬具である。四華花は、死花花とも称される。発明者は、葬具の製造に携わる中で、遺体と共に火葬可能な四華花について検討を行った。
【０００５】
本発明は、遺体と共に火葬可能な四華花を提供することを目的とする。
【課題を解決するための手段】
【０００６】
本発明の一側面は、造花と、前記造花が立てられる、紙製の台座と、を備え、前記造花は、紙製、木製又は竹製で且つ棒状の芯材と、短手方向の第一側端から第二側に延びる複数の切り込みが長手方向に所定の間隔で設けられ且つ前記短手方向の第二側の縁部分が長手方向に繋がった長尺の形状を有する、紙製の巻き付け材と、を含み、前記巻き付け材は、前記巻き付け材の裏面の前記縁部分に接着層を含み、前記縁部分で、前記芯材の先端と、前記芯材の先端及び後端の間の位置と、の間となる前記芯材の軸方向の第一範囲に、前記巻き付け材の裏面が前記芯材の外周面の側となる状態で螺旋状に巻き付けられる、四華花である。
【０００７】
この四華花によれば、四華花の燃焼に伴う環境負荷を低減することができる。
【０００８】
また、四華花では、前記台座は、前記芯材が差し込まれる第一穴が設けられる第一支持材と、前記芯材が差し込まれる第二穴が設けられる第二支持材と、を含み、更に、前記第一支持材を天井壁とし、前記第二支持材を底壁とする、箱形の形状を有し、前記第一穴は、前記第一支持材の厚さ方向に前記第一支持材を貫通し、前記第二穴は、前記第一支持材の厚さ方向に一致する前記第二支持材の厚さ方向に前記第二支持材を貫通し、前記第一支持材及び前記第二支持材は、前記第一範囲より後端側となる前記芯材の軸方向の第二範囲を前記第一穴の内周及び前記第二穴の内周で支持する、ようにしてもよい。この場合、前記台座は、前記第二支持材を上げ底壁とする、ようにしてもよい。
【０００９】
これらの構成によれば、造花を２箇所で台座に支持することができる。造花の倒れを防止することができる。
【００１０】
更に、四華花では、前記第一支持材には、前記第一穴と同一方向に前記第一支持材を貫通する開口が設けられる、ようにしてもよい。
【００１１】
この構成によれば、第二穴への芯材の差し込みを目視で確認しつつ行うことができる。造花と台座の組み立てをスムーズに行うことができる。
【発明の効果】
【００１２】
本発明によれば、遺体と共に火葬可能な四華花を得ることができる。
【図面の簡単な説明】
【００１３】
【図１】四華花の一例を示す写真である。左側は、四華花の正面、左側面及び平面を示す。右側は、四華花の平面を示す。
【図２】造花の芯材及び巻き付け材の概略構成の一例を模式的に示す斜視図である。巻き付け材は、芯材に巻き付ける前の状態を中間部を省略して示す。巻き付け材は、裏面から見た状態を示す。
【図３】台座の概略構成の一例を模式的に示す斜視図である。
【図４】上段は、図４に示すＩ１−Ｉ１線断面図である。下段は、図４に示すＩ２−Ｉ２線断面図である。芯材の第二範囲を想像線で示す。
【発明を実施するための形態】
【００１４】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。図中、破線は、かくれ線であり、二点鎖線は、想像線である。また、ハッチングは、切断面を示す。
【００１５】
＜四華花＞
四華花１０について、図１−４を参照して説明する。四華花１０は、紙製の葬具である。実施形態では、四華花１０は、全体が紙によって形成される。従って、四華花１０は、紙製四華花ともいえる。四華花１０は、紙製の造花２０と、紙製の台座３０を備える（図１参照）。四華花１０は、４本の造花２０を備える。４本の造花２０は、同一又は実質的に同一である。四華花１０では、４本の造花２０は、台座３０に立てられる。
【００１６】
造花２０は、芯材２１と、巻き付け材２２を含む（図２参照）。四華花１０では、芯材２１及び巻き付け材２２は、共に紙製である。芯材２１の素材となる紙としては、公知の紙を採用することができる。巻き付け材２２の素材となる紙としては、公知の紙を採用することができる。巻き付け材２２では、素材となる紙は、コート紙であってもよい。
【００１７】
芯材２１は、造花２０の茎に対応する。従って、芯材２１は、棒状の形状を有する。巻き付け材２２は、次の態様の長尺の形状を有する。前述の態様は、短手方向の第一側端から第二側に延びる複数の切り込み２３が長手方向に所定の間隔で設けられた態様である。更に、前述の態様は、短手方向の第二側の縁部分２５が長手方向に繋がった態様である。巻き付け材２２では、長手方向に隣り合う２個の切り込み２３の間の紙片は、短冊片２４となる。巻き付け材２２では、複数の短冊片２４は、造花２０の花びら及び葉の一方又は両方に対応する。
【００１８】
巻き付け材２２は、巻き付け材２２の裏面の縁部分２５に接着層を含む。即ち、巻き付け材２２は、巻き付け材２２の裏面の縁部分２５に糊を付着させたシール状のシート材である。図２で、縁部分２５に付した格子模様は、巻き付け材２２の裏面の縁部分２５に糊が付着されていることを示す。巻き付け材２２をコート紙製とする場合、コート紙は、表面がコートされ、裏面がコートされていない態様のコート紙とするとよい。巻き付け材２２は、縁部分２５で、芯材２１の第一範囲Ｓ１に螺旋状に巻き付けられる。この場合、巻き付け材２２は、裏面が芯材２１の外周面の側となる状態で巻き付けられる。
【００１９】
第一範囲Ｓ１は、芯材２１の先端Ｔ及び位置Ｐの間となる芯材２１の軸方向の範囲である。芯材２１の軸方向は、芯材２１の軸心Ｌの方向である。図２では、軸心Ｌを一点鎖線で示す。芯材２１の位置Ｐは、芯材２１の先端Ｔ及び後端Ｒの間の任意の位置である。例えば、芯材２１への巻き付け材２２の巻き付けが手作業で行われる場合、複数の造花２０の間では、芯材２１の位置Ｐにずれが生じることもある。実施形態では、第一範囲Ｓ１より芯材２１の後端Ｒの側となる芯材２１の軸方向の範囲を「第二範囲Ｓ２」という。
【００２０】
図２で、芯材２１の外周に示す螺旋状の矢印は、巻き付け材２２の巻き付け方向を示す。図２に示す螺旋状の矢印は、巻き付け材２２を芯材２１に巻き付ける場合のリードを正確に示していない。リードは、巻き付け材２２を芯材２１に１周巻き付けた場合に巻き付け材２２が芯材２１の軸心Ｌの方向に進む距離である。巻き付け材２２の巻き付け方向は、図２に示す方向とは反対回りであってもよい。巻き付け材２２は、図２とは異なり、芯材２１の第一範囲Ｓ１で、芯材２１の後端Ｒの側から先端Ｔに向けて螺旋状に巻き付けることもできる。但し、巻き付け材２２は、図２に示すように、芯材２１の第一範囲Ｓ１で、芯材２１の先端Ｔから後端Ｒの側に螺旋状に巻き付けるとよい。
【００２１】
台座３０は、第一支持材３１を天井壁とし、第二支持材３３を上げ底壁とする、箱形の形状を有する（図３，４参照）。台座３０は、所定の形状に裁断された厚紙を所定の位置で折り曲げることで、箱形に組み立てられる（図１左側参照）。但し、図３，４では、台座３０の図示は簡略化され、前述のような組立構造では図示されていない。四華花１０では、台座３０は、四角形の平面形状を有する。この場合、箱形の台座３０では、外周壁は、四角筒状となる（図３参照）。台座３０では、第一支持材３１及び第二支持材３３は、所定の方向に所定量だけ離間した平行な状態で設けられる。従って、台座３０では、第一支持材３１の厚さ方向及び第二支持材３３の厚さ方向は、一致する。
【００２２】
実施形態では、互いに一致した方向である第一支持材３１の厚さ方向及び第二支持材３３の厚さ方向を、単に「厚さ方向」という。第一支持材３１及び第二支持材３３が離間する上述の所定の方向は、厚さ方向に一致する。台座３０で、第一支持材３１が設けられる厚さ方向の一方側を「第三側」といい、第二支持材３３が設けられる厚さ方向の他方側を「第四側」という。葬具として、例えば、四華花１０が祭壇に供えられる場合、四華花１０は、台座３０が厚さ方向の第三側が鉛直方向の上側となり、厚さ方向の第四側が鉛直方向の下側となる状態で設けられる（図１左側参照）。
【００２３】
第一支持材３１には、第一穴３２が設けられる（図３参照）。第一穴３２は、厚さ方向（第一支持材３１の厚さ方向）に第一支持材３１を貫通する（図４参照）。第一穴３２には、芯材２１が差し込まれる。芯材２１の後端Ｒは、第一穴３２を厚さ方向の第四側に通過する。第二支持材３３には、第二穴３４が設けられる（図３参照）。第二穴３４は、厚さ方向（第二支持材３３の厚さ方向）に第二支持材３３を貫通する（図４参照）。第二穴３４には、芯材２１が差し込まれる。台座３０では、第二支持材３３を上げ底壁とすることで、芯材２１の後端Ｒは、第二穴３４を厚さ方向の第四側に通過する。
【００２４】
上述した通り、四華花１０は、４本の造花２０を備える（図１参照）。従って、台座３０では、第一支持材３１には、４個の第一穴３２が設けられ、第二支持材３３には、４個の第二穴３４が設けられる（図３，４参照）。４個の第一穴３２及び４個の第二穴３４は、第一支持材３１及び第二支持材３３上の厚さ方向に垂直な各平面内の位置が同様となる状態で、第一支持材３１及び第二支持材３３にそれぞれ配置される（図３参照）。四華花１０では、４個の第二穴３４は、４個の第一穴３２より、台座３０の四角形平面の中心寄りの各位置に配置される（図４参照）。この場合、４本の造花２０は、台座３０に立てられた状態で、台座３０の外周壁側にそれぞれ同一又は同程度の角度で傾斜する（図１参照）。但し、四華花では、４個の第一穴３２及び４個の第二穴３４は、第一支持材及び第二支持材上の厚さ方向に垂直な各平面内の位置が同一となる状態で、第一支持材及び第二支持材にそれぞれ配置されてもよい。この場合、４本の造花２０は、台座に立てられた状態で、真っ直ぐ起立する。
【００２５】
図３，４で「第一穴３２」及び「第二穴３４」にそれぞれ付した符号「Ａ，Ｂ，Ｃ，Ｄ」の文字は、第一支持材３１及び第二支持材３３上の厚さ方向に垂直な各平面内の位置が同様となる状態で、第一支持材３１及び第二支持材３３にそれぞれ配置された１組の第一穴３２及び第二穴３４を明示する便宜上の符号である。実施形態では、第一穴３２Ａ，３２Ｂ，３２Ｃ，３２Ｄを区別せず、又はこれらを総称する場合、「第一穴３２」といい、第二穴３４Ａ，３４Ｂ，３４Ｃ，３４Ｄを区別せず、又はこれらを総称する場合、「第二穴３４」という。但し、１組の第一穴３２及び第二穴３４は、第一穴３２Ａ及び第二穴３４Ａ、第一穴３２Ｂ及び第二穴３４Ｂ、第一穴３２Ｃ及び第二穴３４Ｃ、及び第一穴３２Ｄ及び第二穴３４Ｄの各組み合わせのうちの何れかである。
【００２６】
また、実施形態では、４本の造花２０のうち、第一穴３２Ａ及び第二穴３４Ａに差し込まれる造花２０の芯材２１を「芯材２１Ａ」という。４本の造花２０のうち、第一穴３２Ｂ及び第二穴３４Ｂに差し込まれる造花２０の芯材２１を「芯材２１Ｂ」という。４本の造花２０のうち、第一穴３２Ｃ及び第二穴３４Ｃに差し込まれる造花２０の芯材２１を「芯材２１Ｃ」という。４本の造花２０のうち、第一穴３２Ｄ及び第二穴３４Ｄに差し込まれる造花２０の芯材２１を「芯材２１Ｄ」という。芯材２１Ａ，２１Ｂ，２１Ｃ，２１Ｄを区別せず、又はこれらを総称する場合、「芯材２１」という。図４では、芯材２１Ａ，２１Ｂ，２１Ｃ，２１Ｄの第二範囲Ｓ２を二点鎖線で示す。
【００２７】
四華花１０では、１本の芯材２１の第二範囲Ｓ２が、１組の第一穴３２及び第二穴３４に差し込まれる。従って、第一支持材３１及び第二支持材３３は、４本の芯材２１の第二範囲Ｓ２を、４組の第一穴３２の内周及び第二穴３４の内周でそれぞれ支持する。即ち、第一支持材３１及び第二支持材３３は、芯材２１Ａの第二範囲Ｓ２を第一穴３２Ａの内周及び第二穴３４Ａの内周で支持し、芯材２１Ｂの第二範囲Ｓ２を第一穴３２Ｂの内周及び第二穴３４Ｂの内周で支持する（図４上段参照）。更に、第一支持材３１及び第二支持材３３は、芯材２１Ｃの第二範囲Ｓ２を第一穴３２Ｃの内周及び第二穴３４Ｃの内周で支持し、芯材２１Ｄの第二範囲Ｓ２を第一穴３２Ｄの内周及び第二穴３４Ｄの内周で支持する（図４下段参照）。
【００２８】
第一支持材３１には、第一穴３２と同一方向に第一支持材３１を貫通する開口３５が設けられる（図３，４参照）。換言すれば、第一支持材３１には、厚さ方向に第一支持材３１を貫通する開口３５が設けられる。四華花１０では、第一支持材３１には、４個の開口３５が第一支持材３１の４個の外縁に各１個設けられている。開口３５の形成に際し、台座３０の素材となる紙の第一支持材３１に対応する部分では、開口３５が設けられる範囲がこの開口３５と隣接する外周壁の側壁の側に切り起こされる。実施形態では、前述の切り起こされた部分を「切り起こし片３６」という。台座３０では、切り起こし片３６は、前述の外周壁の側壁と連続した状態で、第一支持材３１より厚さ方向の第一側に突き出す。四華花１０では、台座３０の外周壁の各側壁を正視した場合、切り起こし片３６によって、この切り起こし片３６に対応する開口３５を隠すことができる。
【００２９】
開口３５は、厚さ方向の第三側から台座３０を見た場合、１個の開口３５を通して４個の第二穴３４の一部又は全部を視認できる大きさ（形状）とするとよい。四華花１０では、台座３０を厚さ方向の第三側から見た場合、１個の開口３５から少なくとも次の２個の第二穴３４を視認することができる。前述の２個の第二穴３４は、前述の１個の開口３５が設けられた外縁と同じ側となる第二支持材３３の外縁に沿って設けられた２個の第二穴である。但し、四華花１０では、４個の開口３５を通して、台座３０の厚さ方向の第三側から第二支持材３３上の４個の第二穴３４の全てを視認することができる。
【００３０】
＜本実施形態の効果＞
実施形態によれば、次のような効果を得ることができる。
【００３１】
（１）四華花１０は、紙製の造花２０と、紙製の台座３０を備える（図１参照）。造花２０は、台座３０に立てられる。造花２０は、紙製で且つ棒状の芯材２１と、紙製の巻き付け材２２を含む（図２参照）。巻き付け材２２は、複数の切り込み２３が長手方向に所定の間隔で設けられる。切り込み２３は、短手方向の第一側端から第二側に延びる。巻き付け材２２は、短手方向の第二側の縁部分２５が長手方向に繋がった長尺の形状を有する。巻き付け材２２は、巻き付け材２２の裏面の縁部分２５に接着層を含む。巻き付け材２２は、縁部分２５で、芯材２１の第一範囲Ｓ１に、巻き付け材２２の裏面が芯材２１の外周面の側となる状態で螺旋状に巻き付けられる。そのため、葬具としての四華花を紙製の四華花１０とすることができる。四華花１０の燃焼に伴う環境負荷を低減することができる。
【００３２】
（２）台座３０は、第一支持材３１と、第二支持材３３を含む（図３，４参照）。第一支持材３１には、芯材２１が差し込まれる第一穴３２が設けられる。第二支持材３３には、芯材２１が差し込まれる第二穴３４が設けられる。台座３０は、第一支持材３１を天井壁とし、第二支持材３３を上げ底壁とする、箱形の形状を有する。第一穴３２は、厚さ方向に第一支持材３１を貫通する。第二穴３４は、厚さ方向に第二支持材３３を貫通する。四華花１０では、第一支持材３１及び第二支持材３３は、芯材２１の第二範囲Ｓ２を第一穴３２の内周及び第二穴３４の内周で支持する。そのため、造花２０を２箇所で台座３０に支持することができる。造花２０の倒れを防止することができる。
【００３３】
（３）第一支持材３１には、第一穴３２と同一方向に第一支持材３１を貫通する開口３５が設けられる（図３，４参照）。そのため、第二穴３４への芯材２１の差し込みを目視で確認しつつ行うことができる。造花２０と台座３０の組み立てをスムーズに行うことができる。
【００３４】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００３５】
（１）造花２０では、芯材２１を紙製とした。造花では、芯材は、紙とは異なる可燃材によって形成されてもよい。例えば、芯材は、木製又は竹製としてもよい。芯材が木製又は竹製である四華花でも、紙製の四華花１０と同様、この四華花の燃焼に伴う環境負荷を低減することができる。なお、芯材が木製又は竹製である場合であっても、四華花では、巻き付け材２２及び台座３０は、紙製とされる。従って、このような四華花も、四華花１０と同様、紙製四華花ということができる。
【００３６】
（２）台座３０は、第一支持材３１を天井壁とし、第二支持材３３を上げ底壁とする、箱形の形状を有する（図３，４参照）。第二支持材は、上げ底壁ではない、底壁であってもよい。つまり、台座は、第一支持材３１を天井壁とし、第二支持材を底壁とする、箱形の形状としてもよい。即ち、台座では、第二支持材は、第一支持材３１とは反対側となる外周壁の端側に設けるようにしてもよい。換言すれば、第二支持材は、厚さ方向の第四側端に設けるようにしてもよい。
【００３７】
この他、台座は、支持材を１枚又は３枚以上含む、箱形の形状としてもよい。例えば、台座は、第一支持材３１に対応する１枚の支持材を含む、箱形の形状としてもよい。この場合、１枚の支持材は、肉厚の形状とするとよい。台座では、第一支持材３１及び第二支持材３３は、省略してもよい。この場合、台座は、例えば、柱状の形状としてもよい。柱状の台座は、例えば、厚紙又は段ボールを積層して形成することができる。柱状の台座には、芯材２１が差し込まれる穴を台座３０と同様の配置でこの台座の平面（上面）に設けるようにしてもよい。また、第一支持材では、第一穴３２は、省略してもよい。第二支持材では、第二穴３４は、省略してもよい。この場合、芯材は、後端を尖った形状とするとよい。造花は、例えば、第一支持材及び第二支持材に突き刺される。
【００３８】
（３）台座３０では、４個の開口３５が第一支持材３１の４個の外縁に各１個設けられる（図３，４参照）。台座では、第一支持材に設けられる開口の数及び配置は、台座３０とは異なる態様としてもよい。例えば、１個の開口を第一支持材の中央に設けるようにしてもよい。第一支持材に設ける開口の数及び配置は、諸条件を考慮して適宜決定される。台座では、開口３５は、省略してもよい。この場合、切り起こし片３６も、省略してもよい。
【００３９】
この他、台座では、外周壁に開口を設けるようにしてもよい。外周壁に設けられた開口から、第二穴３４への芯材２１の差し込みを目視にて確認することができる。台座では、第一支持材に開口を設け、更に、外周壁に開口を設けるようにしてもよい。外周壁に対して開口を設ける位置は、諸条件を考慮して適宜決定される。例えば、外周壁が４個の側壁によって形成される場合（図１，３参照）、開口は、４個の側壁のうちの一部の側壁又は全ての側壁に設けられる。
【符号の説明】
【００４０】
１０  四華花、  ２０  造花、  ２１，２１Ａ，２１Ｂ，２１Ｃ，２１Ｄ  芯材
２２  巻き付け材、  ２３  切り込み、  ２４  短冊片、  ２５  縁部分
３０  台座、  ３１  第一支持材、  ３２，３２Ａ，３２Ｂ，３２Ｃ，３２Ｄ  第一穴
３３  第二支持材、  ３４，３４Ａ，３４Ｂ，３４Ｃ，３４Ｄ  第二穴、  ３５  開口
３６  切り起こし片、  Ｌ  軸心、  Ｐ  位置、  Ｒ  後端、  Ｓ１  第一範囲
Ｓ２  第二範囲、  Ｔ  先端
【図１】
2020070521.tif 000003
【図２】
2020070521.tif 000004
【図３】
2020070521.tif 000005
【図４】
2020070521.tif 000006